(57)【要約】【課題】  アンテナ本体が回転調整並びに定位置することができ、卓上に置くまたは壁に掛ける二重の用途があるアンテナと固定台座の回転定位置構造を提供する。【解決手段】  固定台座１０を含み、それには突起２０が設けられ、突起２０の一面は開放側２１に現れ、残りの三面は互いに連結して容置室２０１を形成し、突起２０の両対応内側壁２２にはそれぞれ枢軸孔２２１及び円弧線溝２２２が設けられ、各枢軸孔２２１及び円弧線溝２２２にはアンテナ本体３０の枢軸３１及び定位置突起３２を枢設する。アンテナ本体３０は枢軸３１を回転軸とし、突起２０の開放側２１から任意の角度調整回転し、定位置突起３２を通じて円弧線溝２２２で移動並びに定位置する。突起２０の二つの内側壁２２に対応する側壁から固定台座１０まで線埋め溝１１が設けられ、アンテナ本体３０の突起２０の枢設端から延伸して設けられる線３３は、線埋め溝１１を通じてその端から外へ延伸する。【選択図】    図１
0003102240.tif 000002
【実用新案登録請求の範囲】
【請求項１】
アンテナと固定台座の回転定位置構造であって、
固定台座を備え、その固定台座は卓上またはその他固定物の上にしっかりと立てることが可能であり、
突起を備え、その突起は固定台座に突き出して設けられ、その突起の断面はＵ型に表れ、突起の一側は開放側に現れ、残りの三側は互いに連結して容置室を形成し、突起の両対応内側壁にはそれぞれ対応する枢軸孔及び円弧線溝が設けられ、
アンテナ本体を備え、そのアンテナ本体は長い板状のものに表れて突起の容置室に合わすことが可能であり、そのアンテナ本体の一端の両対応側に枢軸及び定位置突起が設けられ、その枢軸及び定位置突起は前記突起の両対応内側壁の枢軸孔及び円弧線溝に枢設可能であることにより、アンテナ本体は前記枢軸を回転軸とし、前記突起の開放側から任意の角度に調整回転させることが可能であり、同時に前記定位置突起を通じて前記アンテナ本体を円弧線溝で移動及び定位置することが可能であることを特徴とするアンテナと固定台座の回転定位置構造。
【請求項２】
前記円弧線溝の両端点にそれぞれ定位置孔が設けられることにより、アンテナ本体の定位置突起は各定位置孔へ移動するとしっかりと定位置され、前記アンテナ本体及び固定台座は水平または垂直の角度に表れることを特徴とする請求項１に記載のアンテナと固定台座の回転定位置構造。
【請求項３】
前記定位置孔は前記円弧線溝に合わして複数個の定位置孔が設置され、アンテナ本体の定位置突起は各定位置孔へ移動すると多種角度を表して定位置されることを特徴とする請求項２に記載のアンテナと固定台座の回転定位置構造。
【請求項４】
前記突起の両内側壁は空心状態に表れ、その両内側壁には弾性の挟み特性があることにより、アンテナ本体の定位置突起は突起の両内側壁に挟まれ、移動時はスムースになることを特徴とする請求項１に記載のアンテナと固定台座の回転定位置構造。
【請求項５】
前記突起の両内側壁には枢軸孔を中心として、外へ水平及び垂直方向にそれぞれ斜め案内溝が設けられ、その斜め案内溝の設置によってアンテナ本体両側の枢軸及び定位置突起は便利に枢軸孔及び円弧線溝の定位置孔内に入れることが可能であることを特徴とする請求項４に記載のアンテナと固定台座の回転定位置構造。
【請求項６】
前記アンテナ本体の突起との枢設端には線が外へ延伸して設けられ、その突起の両対応内側壁と連接する一側壁には固定台座まで延伸して線埋め溝が設けられ、線は線埋め溝に沿ってその一端から外へ延伸することを特徴とする請求項１に記載のアンテナと固定台座の回転定位置構造。
【請求項７】
前記固定台座の底部には鉄片が設けられ、その鉄片の重さによって固定台座はしっかりと卓上に立ち、その鉄片には少なくとも一つの壁掛け孔が設けられ、その壁掛け孔によって壁に掛けることが可能であり、同時に前記アンテナ本体は実際のスペースの需要に合わして適当な角度に調整回転させることが可能であることを特徴とする請求項１に記載のアンテナと固定台座の回転定位置構造。
【考案の詳細な説明】
【技術分野】
【０００１】
本考案は、アンテナと固定台座の回転定位置構造に関するものであり、特に無線ネットワーク装置に応用され、そのアンテナ本体は回転して角度を調整し、定位置することができるだけでなく、更にそれを卓上に置きまたは壁に掛けることができる二重の用途があるものに関するものである。
【背景技術】
【０００２】
現在の社会は情報と知識が爆発する時代であり、人々の情報交換とコミュニケーションはますます重要になり、ネットワーク時代の到来に伴い、移動通信と無線通信等ネットワークと通信技術は快速に発展及び普及し、無線ネットワーク装置は現代の先進通信工具となって人々の日常仕事と生活の中に於いてますます重要な役割を演じ、代替できない重要な作用を起こしている。ところが一般の無線ネットワーク装置は通常はアンテナを応用し、アンテナは一般の人に知られるように信号の発信及び信号の受信に使われる。そのために使用者は任意の無線ネットワーク装置を使用することができ、無線ネットワークの訪問ポイントを通じて各無線ネットワーク装置間の信号受発信を実現し、使用者はいつでも、どこでも無線ネットワーク装置を利用して外界と連絡することができ、並びに最少時間内に最大の効果を得ることができる。
【０００３】
一般周知のアンテナには概して台座があり、その台座には細長いアンテナ本体が固定されて設けられ、それによって台座を卓上に置いて無線ネットワーク装置の信号の受発信に供することができ、これにより、使用者ははいつでも、どこでも無線ネットワーク装置を利用して外界と連絡を取ることができる。
【考案の開示】
【考案が解決しようとする課題】
【０００４】
ところが、請求人は現在の無線ネットワーク装置は市場に於いて盛んに発展しているが、実際使用者の使用の需要に於いて、単一固定式台座とアンテナ本体は時代のニーズに符合できないことを感知した。すなわちその周知の固定式アンテナ本体は単純に卓上に置いて使用されるだけであり、それと同時にその台座とアンテナ本体は固定状態に表れるよう限定され、アンテナ本体は随意に角度を調整することができない。更にそのアンテナ本体の外へ延伸する線に対して適当な線埋め処理を行っておらず、相対してそれの使用空間はあまり円滑でなく、かつスペースを占めている。、甚だしくは台座とアンテナ本体が互いに固定しているために損傷が発生しやすく、更に進んで無線ネットワーク装置の信号受発信効果に影響し、遺憾なことになってしまう。
【０００５】
このために、本考案は上記実際の需要により、周知の固定式アンテナ本体と台座の設計改善を行い、そのアンテナ本体は回転して角度調整並びに定位置できるだけでなく、同時に卓上に置くまたは壁に掛ける二重の用途があるようにして上記問題を解決し、かつより便利になるようにしたアンテナと固定台座の回転定位置構造を提供することを目的とする。これは無線ネットワーク装置の製造メーカの販売成績の大きな助けとなり、かつ消費者に対しても大きな朗報であるので、この多機能な開発は現在の無線ネットワーク装置の業界において、一刻の遅れも許せない重要な課題である。
【課題を解決するための手段】
【０００６】
上記のように一般周知のアンテナ本体と台座は固定式のものであって、随意に角度を調整することができず、かつ単純に卓上に置いて使用するだけであり、使用上に各種不便等欠点を起こすので、市場及び使用者の実際の需要に基づき、考案者は長期間の努力を経て研究と実験を重ね、遂に本考案の「アンテナと固定台座の回転定位置構造」の開発設計を完成し、本考案の巧みな思案によってアンテナの付加価値を増やすことができた。
【０００７】
本考案のアンテナと固定台座の回転定位置構造によると、回転定位置できるアンテナ本体の構造が設計され、それと同時に卓上に置けるまたは壁に吊り掛けできる二重の用途がある。主に固定台座を含み、それには突起が設けられ、その突起の一面は開放側に現れ、残りの三面は互いに連結して容置室を形成し、その突起の両対応内側壁にはそれぞれ対応する枢軸孔及び円弧線の溝が設けられ、その各枢軸孔及び円弧線の溝には丁度アンテナ本体一端の両対応側の枢軸及び定位置突起をその中に枢設することができる。それによってアンテナ本体はその枢軸を回転軸とし、その突起の開放側から任意の角度調整回転することができ、同時に、その定位置突起を通じてそのアンテナ本体を円弧線の溝で移動並びに定位置することができ、かつ固定台座の底部に設けられている最少一つ以上の壁掛け孔を通じて、それを卓上に置くまたは壁に掛けることができる。
【０００８】
さらに本考案のアンテナと固定台座の回転定位置構造によると、突起の二つの内側壁に対応する側壁から固定台座までに線埋め溝が設けられ、それによってアンテナ本体の突起の枢設端から延伸して設けられる線は、その線埋め溝を通じてその端から外へ延伸することができる。
【考案を実施するための最良の形態】
【０００９】
本考案は「アンテナと固定台座の回転定位置構造」に関するものである。図１及び図３に示す如く、本発明の一実施例による回転定位置構造には固定台座１０、突起２０及びアンテナ本体３０が含まれ、そのうち、固定台座１０は卓上またはその他固定物の上にしっかりと立てることができる（例えば：壁上に吊り掛ける）。図１に於いて、突起２０は固定台座１０に突き出して設けられ、その突起２０の断面はU型に表れ、突起２０の一側は開放側に現れ、残りの三側は互いに連結して容置室２０１を形成する。また、図１及び図２に示す如く、その突起２０の両対応内側壁２２にはそれぞれ対応する枢軸孔２２１及び円弧線溝２２２が設けられ、その円弧線溝２２２は枢軸孔２２１を中心として外へある距離を延伸して設置されている。
【００１０】
また、そのアンテナ本体３０は長い板状のものであり、図２及び図３に示すアンテナ本体３０は丁度突起２０の容置室２０１に合わして長い板状の断面に現れている。本考案を実際に実施する場合はこれに制限されず、容置室２０１の形に合わして他の断面に設計してもよい。また、図１及び図２に示す如く、アンテナ本体３０一端の両対応側に枢軸３１及び定位置突起３２が設けられ、枢軸３１及び定位置突起３２は丁度その突起２０の両対応内側壁２２の枢軸孔２２１及び円弧線溝２２２に枢設することができる。それによってアンテナ本体３０はその枢軸３１を回転軸とし、突起２０の開放側２１から任意の角度（0度―90度、図３に示す如く）に調整回転することができ、同時に、定位置突起３２を通じてアンテナ本体３０を円弧線溝２２２で移動並びに定位置することができる。
【００１１】
本考案の実施例に於いて、円弧線溝２２２の両端点にはそれぞれ定位置孔２２３が設けられ（図１に示す如く）、それによってアンテナ本体３０の定位置突起３２が各定位置孔２２３へ移動するとしっかりと定位置することができ、そのアンテナ本体３０と固定台座１０は水平または垂直の角度に表れる（図３に示す如く）。本考案を実際に実施する場合はこれに制限されず、円弧線溝２２２に設置された複数個の定位置孔２２３に合わせ、アンテナ本体３０の定位置突起３２が各定位置孔２２３へ移動すると多種角度を表して定位置される。
【００１２】
図２に示す如く、本考案の実施例に於いて突起２０の両内側壁２２は空心２２０状態に表れ、その両内側壁２２には弾性の挟み特性があるようになり、これによってアンテナ本体３０の定位置突起３２は突起２０の両内側壁２２に挟まれ、移動時はよりスムースになる。
【００１３】
更に、突起２０の両内側壁２２には枢軸孔２２１を中心として、外へ水平と垂直方向にそれぞれ斜め案内溝２２４が設けられ（図１に示す如く）、それら斜め案内溝２２４の設置によってアンテナ本体３０両側の枢軸３１及び定位置突起３２は便利に枢軸孔２２１及び円弧線溝２２２の定位置孔２２３内に入れることができる。
【００１４】
また、アンテナ本体３０の突起２０との枢設端には線３３が外へ延伸して設けられ（図１から図３に示す如く）、突起２０の両対応内側壁２２と連接する一側壁には固定台座１０まで延伸して線埋め溝１１が設けられ、線３３は線埋め溝１１に沿ってそれの一端から外へ延伸することができる。
【００１５】
更に、固定台座１０の底部には鉄片１２が設けられてもよく（図２及び図３に示す如く）、その鉄片１２の重さによって固定台座１０はしっかりと卓上に立つことができ、またその鉄片１２には最少一つ以上の壁掛け孔１２１が設けられ、それら壁掛け孔１２１によって壁に掛けることができ、同時に、アンテナ本体３０は実際スペースの需要に合わして適当な角度に調整回転することができる。
【００１６】
上記部材から分かるように、固定台座１０、アンテナ本体３０はしっかりと卓上に立つことができ、またはその固定台座１０底部の壁掛け孔１２１によって壁に掛けることができ、同時に、アンテナ本体３０は実際のニーズにより、枢軸３１及び定位置突起３２を通じて突起２０の枢軸孔２２１及び円弧線溝２２２と対応して置き、突起２０の開放側２１からある角度を調整回転して定位置させ、アンテナ本体３０の線３３は線埋め溝１１内で自由に伸縮活動することができる。
【００１７】
そこで、本実施例の最大特色は固定台座１０の突起２０に回転定位置できる構造を入れ加え、アンテナ本体３０が実際スペースのニーズに合わして適当な角度に調整回転し、並びに定位置の効果を達成し、更に進んで固定台座１０とアンテナ本体３０の最大効果を実現することである。本考案の設計は構造が簡単である長所があるだけでなく、全体設計は固定台座とアンテナ本体を卓上に置くまたは壁に掛ける二重の用途があるようになり、伝統的製品の欠点を有効に解決することができるので、本考案は人間性に合致する設計と言える。
【図面の簡単な説明】
【００１８】
【図１】本考案の一実施例による回転定位置構造を示す立体分解図である。
【図２】本考案の一実施例による回転定位置構造の一部部品を示す断面図である。
【図３】本考案の一実施例による回転定位置構造の組合せ作動を示す模式図図である。
【符号の説明】
【００１９】
１０  固定台座、１１  線埋め溝、１２  鉄片、２０  突起、２１  開放側、２２  内側壁、３０  アンテナ本体、３１  枢軸、３２  定位置突起、３３  線、１２１  壁掛け孔、２０１  容置室、２２０  空心、２２１  枢軸孔、２２２  円弧線溝、２２３  定位置孔、２２４  斜め案内溝
【図１】
0003102240.tif 000003
【図２】
0003102240.tif 000004
【図３】
0003102240.tif 000005